【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
合成粘土と有機化剤とにより構成される合成有機化粘土と、樹脂と、有機溶媒を含み、基材もしくは塗工層の表面上に塗布するためのコーティング剤であって、
前記合成粘土が、３０ナノメートルよりも小さい合成スメクタイトであり、前記保護膜は、樹脂と合成有機化粘土からなる無機有機ナノコンポジット層からなり、
前記樹脂３０重量部に対する前記有機溶媒は５〜７０重量部の範囲内であり、前記有機溶媒が、トルエン、キシレン、エチルベンゼン、酢酸エチル、酢酸ブチル、メチルイソブチルケトンからなる群より選択される２種以上を含み、前記合成有機化粘土が、ポリオキシプロピレンメチルジエチルアンモニウムを含む、前記コーティング剤。
【請求項２】
前記樹脂３０重量部に対する前記合成有機化粘土が１〜２５重量部の範囲内である、請求項１に記載のコーティング剤。
【請求項３】
前記樹脂が、紫外線硬化樹脂である、請求項１〜２のいずれか一項に記載のコーティング剤。
【請求項４】
紫外線を吸収する有機化合物を含む、請求項１〜３のいずれか一項に記載のコーティング剤。
【請求項５】
請求項１〜４のいずれか一項に記載のコーティング剤が基材もしくは塗工層の表面上に塗布された保護膜。
【請求項６】
塗工層の表面上に、請求項５に記載の保護膜を有する強化塗工層を作製した際に、前記塗工層と前記強化塗工層との色差ΔＥ＊ａｂが１．６以下となる、請求項５に記載の保護膜。
【請求項７】
塗工層の表面上に、請求項５に記載の保護膜を有する強化塗工層を作製した際に、前記塗工層と前記強化塗工層とのつやに関する指標であるＧ値の差が２０以下である、請求項５に記載の保護膜。
【請求項８】
基材の表面上に塗布された塗工層と、前記塗工層の表面上に塗布された、請求項５〜７のいずれか一項に記載の保護膜とからなる強化塗工層。
【請求項９】
鉛筆硬度が３Ｈ以上である、請求項８に記載の強化塗工層。
【請求項１０】
製品を構成する少なくとも一部の基材の表面上に、請求項８又は９に記載の強化塗工層を有する製品。
【請求項１１】
前記基材が、ガラス、セラミックス、プラスチックス、金属、及び木質成形材からなる群より選択される少なくとも一つである、請求項１０に記載の製品。
【請求項１２】
前記塗工層が銀撒き層と半透明層とを含む複数層からなり、
前記銀撒き層は、前記基材と前記半透明層との間に位置する層として形成されており、
前記半透明層に染料が含まれている、請求項１０又は１１に記載の製品。
【請求項１３】
前記半透明層の主成分が、ウレタン樹脂、カシュー樹脂、又は本漆である、請求項１０〜１２のいずれか一項に記載の製品。
【請求項１４】
食洗機で洗剤を用いて、１００回洗浄前後の色差ΔＥ＊ａｂが１．６以下である、請求項１０〜１３のいずれか一項に記載の製品。
【請求項１５】
波長３６５ｎｍ強度１２，０００μＷ／ｃｍ２の紫外線を一時間照射した前後の色差ΔＥ＊ａｂが１．６以下である、請求項１０〜１４のいずれか一項に記載の製品。
【手続補正２】
【補正対象書類名】明細書
【補正対象項目名】００２６
【補正方法】変更
【補正の内容】
【００２６】
本出願は、具体的には、以下の発明を提供する。
すなわち、本発明は、以下の［１］〜［１５］の特徴を有するものである。
〔１〕合成有機化粘土と樹脂と有機溶媒を含み、前記合成粘土が、３０ナノメートルより小さい合成スメクタイトであり、前記保護膜は、樹脂と合成有機化粘土からなる無機有機ナノコンポジット層からなり、前記樹脂３０重量部に対する前記有機溶媒は５〜７０重量部の範囲内であり、前記有機溶媒が、トルエン、キシレン、エチルベンゼン、酢酸エチル、酢酸ブチル、メチルイソブチルケトンからなる群より選択される２種以上を含み、前記合成有機化粘土が、ポリオキシプロピレンメチルジエチルアンモニウムを含む、コーティング剤に関するものである。
【手続補正３】
【補正対象書類名】明細書
【補正対象項目名】００２７
【補正方法】変更
【補正の内容】
【００２７】
また、本発明のコーディング剤は、一実施の形態において、
〔２〕前記樹脂３０重量部に対する前記合成有機化粘土が１〜２５重量部の範囲内であることを特徴とする。
【手続補正４】
【補正対象書類名】明細書
【補正対象項目名】００２８
【補正方法】変更
【補正の内容】
【００２８】
また、本発明のコーディング剤は、一実施の形態において、
〔３〕前記樹脂が紫外線硬化樹脂であることを特徴とする。
また、本発明のコーディング剤は、一実施の形態において、
〔４〕紫外線を吸収する有機化合物を含むことを特徴とする。
【手続補正５】
【補正対象書類名】明細書
【補正対象項目名】００２９
【補正方法】変更
【補正の内容】
【００２９】
また、本発明は、別の態様において、
〔５〕上記〔１〕〜〔４〕のいずれかに記載のコーティング剤を用いて作製した保護膜に関する。
ここで、本発明の保護膜は、一実施の形態において、
〔６〕塗工層の表面上に〔５〕に記載の保護膜を有する強化塗工層を作製した際に、前記塗工層と前記強化塗工層との色差ΔＥ＊ａｂが１．６以下となることを特徴とする。
【手続補正６】
【補正対象書類名】明細書
【補正対象項目名】００３０
【補正方法】変更
【補正の内容】
【００３０】
また、本発明の保護膜は、一実施の形態において、
〔７〕塗工層の表面上に〔５〕に記載の保護膜を有する強化塗工層を作製した際に、前記塗工層と前記強化塗工層とのつやに関する指標であるＧ値の差が２０以下であることを特徴とする。
【手続補正７】
【補正対象書類名】明細書
【補正対象項目名】００３１
【補正方法】変更
【補正の内容】
【００３１】
また、本発明は、別の態様において、
〔８〕基材の表面上に塗布された塗工層と、前記塗工層の表面上に塗布された〔５〕〜〔７〕のいずれかに記載の保護膜とからなる強化塗工層に関する。
ここで、本発明の強化塗工層は、一実施の形態において
〔８’〕前記塗工層と前期保護膜とが、碁盤目試験で剥離しない強度を持って密着したものであることを特徴とする。
【手続補正８】
【補正対象書類名】明細書
【補正対象項目名】００３２
【補正方法】変更
【補正の内容】
【００３２】
また、本発明の強化塗工層は、一実施の形態において、
〔９〕鉛筆硬度が３Ｈ以上であることを特徴とする。
また、本発明は、別の態様において、
〔１０〕製品を構成する少なくとも一部の基材の表面上に〔８〕又は〔９〕に記載の強化塗工層を有する製品に関する。
【手続補正９】
【補正対象書類名】明細書
【補正対象項目名】００３３
【補正方法】変更
【補正の内容】
【００３３】
ここで、本発明の製品は、一実施の形態において、
〔１１〕前記基材が、ガラス、セラミックス、プラスチックス、金属、及び、木質成形材からなる群より選択される少なくとも一つであることを特徴とする。
また、本発明の製品は、一実施の形態において、
〔１２〕前記塗工層が銀撒き層と半透明層とを含む複数層からなり、
前記銀撒き層は、前記基材と前記半透明層との間に位置する層として形成されており、
前記半透明層に染料が含まれている、ことを特徴とする。
【手続補正１０】
【補正対象書類名】明細書
【補正対象項目名】００３４
【補正方法】変更
【補正の内容】
【００３４】
また、本発明の製品は、一実施の形態において、
〔１３〕前記半透明層の主成分が、ウレタン樹脂、カシュー樹脂、又は、本漆であることを特徴とする。
また、本発明の製品は、一実施の形態において、
〔１４〕食洗機で洗剤を用いて１００回洗浄前後の色差ΔＥ＊ａｂが１．６以下であることを特徴とする。
【手続補正１１】
【補正対象書類名】明細書
【補正対象項目名】００３５
【補正方法】変更
【補正の内容】
【００３５】
また、本発明の製品は、一実施の形態において、
〔１５〕波長３６５ｎｍ強度１２，０００μＷ／ｃｍ２の紫外線を一時間照射した前後の色差ΔＥ＊ａｂが１．６以下であることを特徴とする。
【手続補正１２】
【補正対象書類名】明細書
【補正対象項目名】００４１
【補正方法】変更
【補正の内容】
【００４１】
〈樹脂の選択〉
樹脂として、まず、熱硬化樹脂を検討した。熱硬化樹脂として、三種の代表的なエポキシ樹脂を用いてテストした。熱処理温度は、基材の耐熱性を考慮して８０℃とした。その結果、いずれのエポキシ樹脂を用いても、一般的なハードコートの基準である鉛筆硬度３Ｈというレベルに到達することはできなかった。次に、紫外線硬化樹脂を検討した。紫外線硬化樹脂としては、エポキシカチオン重合系と、アクリレートラジカル重合系のものがあり、後者は、さらに、エポキシ変性アクリレート、ウレタン変性アクリレート、シリコーン変性アクリレートに大別される。その中で、本発明の目的であるハードコートに適合するものとして、ウレタンアクリレート系紫外線硬化樹脂を検討した。